【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
所定の始動口への入賞を契機に変動する複数の図柄を画像にて表示し、停止した図柄の組合せが所定の組合せとなる場合に遊技者に所定の利益を提供する弾球遊技機であって、
上記の図柄の変動及び停止を画像にて表示する画像表示手段と、
上記画像表示手段に、ｍ行かつｎ列（ただし、ｍ及びｎはいずれも２以上の自然数）に配列されたｍｎ個のウィンドウであって、その各々が図柄を表示可能な開放状態及び図柄を表示不可能な閉鎖状態のいずれか一の状態を取るウィンドウを表示するウィンドウ表示手段と、
前記始動口への入賞を検出する入賞検出手段と、
上記入賞検出手段による入賞の検出に伴い、上記各列に対応するｎ個の停止図柄を決定する停止図柄決定手段と、
前記各ウィンドウの開閉パターンを記憶する開閉パターン記憶手段と、
上記開閉パターンに従って、前記画像表示手段における各ウィンドウの開閉を制御する開閉制御手段と、
個々の列における図柄の出現順序が記述された順序データを記憶する順序データ記憶手段と、
上記順序データに従って、開放状態にあるウィンドウにおいて各列ごとに図柄を変動表示させるとともに、前記停止図柄決定手段によって決定されたｎ個の停止図柄の各々を、対応する各列において、開放状態にあるウィンドウのうちの一のウィンドウへ停止表示させるとともに、前記ｎ個の停止図柄を、直線状に配列されたｎ個のウィンドウから成る表示ライン上に表示させる表示制御手段とを備え、
前記開閉制御手段は、変動開始の時点において、一の表示ラインに係るｎ個のウィンドウのみを開放状態として表示させ、他のウィンドウを閉鎖状態として表示させるとともに、変動開始後において、前記開閉パターンに従ってウィンドウを開放することにより、表示ラインを増加させることを特徴とする弾球遊技機。
【請求項２】
前記表示制御手段は、前記開閉制御手段によってウィンドウが開放されたことにより前記表示ラインが複数ある場合に、そのうちの一の表示ラインを選択し、その表示ライン上に停止図柄決定手段で決定された前記ｎ個の停止図柄を表示させることを特徴とする請求項１記載の弾球遊技機。
【請求項３】
前記表示制御手段は、増加したライン上に同一の図柄が停止表示された後、再び各列において変動表示を行い、最初に開放状態にあった表示ラインに係るｎ個のウィンドウに前記停止図柄決定手段で決定されたｎ個の停止図柄の組合せを停止表示することを特徴とする請求項１又は２記載の弾球遊技機。
【請求項４】
前記ウィンドウ表示手段は、開放状態にあるウィンドウ上における表示ラインを視覚的に明示するライン表示手段を備えることを特徴とする請求項１、２又は３記載の弾球遊技機。
【請求項５】
前記順序データ記憶手段には、複数の順序データが記憶されるとともに、
前記表示制御手段は、各列ごとに、一の順序データを選択して図柄変動を行うことを特徴とする請求項１、２、３又は４記載の弾球遊技機。
【手続補正２】
【補正対象書類名】明細書
【補正対象項目名】０００４
【補正方法】変更
【補正の内容】
【０００４】
（第１の発明）
上記の課題を解決すべく、本発明のうち第１の発明は、所定の始動口11への入賞を契機に変動する複数の図柄を画像にて表示し、停止した図柄の組合せが所定の組合せとなる場合に遊技者に所定の利益を提供する弾球遊技機10であって、上記の図柄の変動及び停止を画像にて表示する画像表示手段15と、上記画像表示手段15に、ｍ行かつｎ列（ただし、ｍ及びｎはいずれも２以上の自然数）に配列されたｍｎ個のウィンドウであって、その各々が図柄を表示可能な開放状態及び図柄を表示不可能な閉鎖状態のいずれか一の状態を取るウィンドウを表示するウィンドウ表示手段33と、前記始動口11への入賞を検出する入賞検出手段12と、上記入賞検出手段12による入賞の検出に伴い、上記各列に対応するｎ個の停止図柄を決定する停止図柄決定手段21と、前記各ウィンドウの開閉パターンを記憶する開閉パターン記憶手段52と、上記開閉パターンに従って、前記画像表示手段15における各ウィンドウの開閉を制御する開閉制御手段32と、個々の列における図柄の出現順序が記述された順序データを記憶する順序データ記憶手段51と、上記順序データに従って、開放状態にあるウィンドウにおいて各列ごとに図柄を変動表示させるとともに、前記停止図柄決定手段21によって決定されたｎ個の停止図柄の各々を、対応する各列において、開放状態にあるウィンドウのうちの一のウィンドウへ停止表示させる表示制御手段31とを備えることを特徴とする。
【手続補正３】
【補正対象書類名】明細書
【補正対象項目名】００１１
【補正方法】変更
【補正の内容】
【００１１】
本第１の発明に係る弾球遊技機10においては、以下のようにして図柄の表示が行われる。
まず、始動口11への入賞を入賞検出手段12が検出すると、停止図柄決定手段21は、停止図柄の組合せを決定する。この間に、通常は当たり判定が行われ、その判定結果に従って当たりに係る図柄又ははずれに係る図柄がこの停止図柄として決定される。停止図柄の組合せが、当たりに係る図柄であるか、又は、はずれに係る図柄であるかによって、通常、選択し得る開閉パターンの数や種類が異なることとなっている。
すなわち、開閉制御手段32は、停止図柄決定手段によって決定された停止図柄の組合せに応じて、選択可能な開閉パターンを、開閉パターン記憶手段52から選択する。そして、開閉制御手段32は、選択した開閉パターンに従ってウィンドウの開閉を行う。
【手続補正４】
【補正対象書類名】明細書
【補正対象項目名】００１３
【補正方法】変更
【補正の内容】
【００１３】
そして、変動パターンによっては、開放状態にあるウィンドウが増加することにより、当たりに係る図柄の表示される箇所が増すこととなる。これにより、遊技者の当たりに対する期待感を増加せしめることが可能となる。また、画像表示手段15上における演出のパターンを増加せしめることで、変化ある遊技性を提供することも可能となる。
（第２の発明）
また、第２の発明は、第１の発明の特徴に加え、前記表示制御手段31は、前記ｎ個の停止図柄を、直線状に配列されたｎ個のウィンドウから成る表示ライン上に表示させることを特徴とする。
【手続補正５】
【補正対象書類名】明細書
【補正対象項目名】００１４
【補正方法】変更
【補正の内容】
【００１４】
第１の発明においては、停止図柄は各列に一つずつ停止表示されていれば足りるが、本発明においては、停止図柄は上記表示ライン上に表示されることとなっている。
ここで、表示ラインとは、上述のように直線状に配列されたｎ個のウィンドウからなるものである。たとえば、ウィンドウの１行に係るｎ個のウィンドウが、表示ラインとなる。また、各列に渡って斜めに配列されたｎ個のウィンドウも、表示ラインとなり得る。
これにより、停止図柄の表示される箇所を明確にすることができる。
（第３の発明）
更に、第３の発明は、第２の発明の特徴に加え、前記表示ラインが複数ある場合に、前記表示制御手段31は、そのうちの一の表示ラインを選択し、その表示ライン上に前記ｎ個の停止図柄を表示させることを特徴とする。
【手続補正６】
【補正対象書類名】明細書
【補正対象項目名】００１５
【補正方法】変更
【補正の内容】
【００１５】
すなわち、開放状態にあるウィンドウがｎ個以上ある場合には、表示ラインが複数あることもあるため、表示制御手段31は、そのうちの一の表示ラインを選択することとしている。この選択は、たとえば、乱数を用いた抽選によって制御することとしてもよい。
これにより、停止図柄の組合せが図柄変動のたびに異なる表示ラインに表示可能となるため、遊技のバリエーションを増すこととなる。
（第４の発明）
第４の発明は、第２又は第３の発明の特徴に加え、変動開始の時点においては、前記開閉制御手段32は、一の表示ラインに係るｎ個のウィンドウのみを開放状態として表示させ、他のウィンドウを閉鎖状態として表示させることを特徴とする。
【手続補正７】
【補正対象書類名】明細書
【補正対象項目名】００１６
【補正方法】変更
【補正の内容】
【００１６】
すなわち、変動開始時点では表示ラインはただ一つである。そして、停止図柄の組合せと、これにより決定される開閉パターンによっては、表示ラインが増加したり、また、その後減少したり、ということが可能となる。
これにより、図柄変動のたびに表示ライン数を変化させることが可能となるため、遊技のバリエーションが増すこととなる。
（第５の発明）
また、第５の発明は、第４の発明の特徴に加え、前記表示制御手段31は、図柄の変動停止後に、最初に開放状態にあった表示ラインに係るｎ個のウィンドウに当該ｎ個の停止図柄の組合せを表示させるとともに、前記開閉制御手段32は、これらのｎ個のウィンドウ以外のウィンドウを閉鎖状態として表示させることを特徴とする。
【手続補正８】
【補正対象書類名】明細書
【補正対象項目名】００１７
【補正方法】変更
【補正の内容】
【００１７】
すなわち、変動開始時点の表示ラインと異なる表示ラインに停止図柄の組合せが停止表示される場合でも、改めて最初の表示ラインにこの停止図柄の組合せを停止表示するとともに、この表示ラインに係るウィンドウ以外のウィンドウは全て閉鎖状態とすることとしている。
これにより、変動の結果、どの停止図柄の組合せが停止表示されるのかが明確になるとともに、それに伴って当たりとなったのか又ははずれとなったのかが遊技者に分かりやすくなる。
（第６の発明）
第６の発明は、第２、第３、第４又は第５の発明の特徴に加え、前記ウィンドウ表示手段33は、開放状態にあるウィンドウ上における表示ラインを視覚的に明示するライン表示手段を備えることを特徴とする。
【手続補正９】
【補正対象書類名】明細書
【補正対象項目名】００１８
【補正方法】変更
【補正の内容】
【００１８】
表示ラインを視覚的に明示する方法としては、たとえば、表示ラインに係るウィンドウを、所定の色彩の枠で囲むことが挙げられる。また、表示ラインに係るウィンドウ上に、所定の色彩の線を表示することも考えられる。
これにより、開放状態にあるウィンドウにおいて、どこに表示ラインがあるのかが遊技者にとって明確となる。
（第７の発明）
第７の発明は、第１、第２、第３、第４、第５又は第６の発明の特徴に加え、前記順序データ記憶手段51には、複数の順序データが記憶されるとともに、前記表示制御手段31は、各列ごとに、一の順序データを選択して図柄変動を行うことを特徴とする。